(57)【要約】【課題】スライド式携帯通信端末の筐体内の部品の形状を一部変更することにより、部品点数を増やすことなく、携帯通信端末装置の無線通信用又はその他のアンテナ特性の劣化を安価に抑制する手段を提供する。【解決手段】通信を可能とするためのアンテナを少なくとも備えたスライド式携帯通信端末装置において、前記アンテナのアンテナ特性を劣化させる電磁気的結合関係にある、前記スライド式携帯通信端末装置を構成する複数の電気的な導通性を有する部品を、同一平面上にあるように重ね合わせて構成することによって、前記アンテナ特性の劣化を抑制することを特徴とするスライド式携帯通信端末装置。【選択図】図３
2011171907.tif 000002
【特許請求の範囲】
【請求項１】
通信を可能とするためのアンテナを少なくとも備えたスライド式携帯通信端末装置において、
前記アンテナのアンテナ特性を劣化させる電磁気的結合関係にある、前記スライド式携帯通信端末装置を構成する複数の電気的な導通性を有する部品を、同一平面上にあるように重ね合わせて構成することによって、前記アンテナ特性の劣化を抑制することを特徴とするスライド式携帯通信端末装置。
【請求項２】
前記複数の電気的な導通性を有する部材の端部を変形させることで互いに重ね合わせることを特徴とする請求項１に記載のスライド式携帯通信端末装置。
【請求項３】
前記複数の電気的な導通性を有する部品とは、ノイズ抑制用板金、フレキシブルケーブル、ガスケット、ＳＩＭカードスロット、メモリカードスロット及びＩＯコネクタのうちの２つ以上であることを特徴とする請求項２に記載のスライド式携帯通信端末装置。
【請求項４】
前記複数の電気的な導通性を有する部品とは、前記ノイズ抑制用板金と、前記フレキシブルケーブルとであり、
前記ノイズ抑制用板金の端部を延長して前記フレキシブルケーブルと重ね合わせたことを特徴とする請求項３に記載のスライド式携帯通信端末装置。
【請求項５】
前記複数の電気的な導通性を有する部品とは、前記ガスケットと、前記フレキシブルケーブルとであり、
前記ガスケットの端部を延長して前記フレキシブルケーブルと重ね合わせたことを特徴とする請求項３に記載のスライド式携帯通信端末装置。
【発明の詳細な説明】
【技術分野】
【０００１】
本発明は、スライド式の携帯通信端末装置に関する。
【背景技術】
【０００２】
昨今、携帯通信端末装置においてスライド式は一般的になっている。従来のスライド式携帯通信端末は、一般的に、図１に示されているような構成をしており、カメラのノイズ抑制用の板金１１や基板間を接続するフレキシブルケーブル６はスライド式携帯通信端末の機能を満たすために必須の構成要素となっている。
【０００３】
これより、従来の構成について具体的に説明する。図１は、従来のスライド式携帯通信端末装置の側面側縦断面を示している。図１を参照すると、スライドする筐体１及び２にそれぞれ内蔵されている回路基板３及び４は、フレキシブルケーブル５及び６で接続されている。フレキシブルケーブルは、それが配されている場所によって求められる性質（折り畳み性、柔軟性など）が異なるので、通常、上記のように異なる性質を有するものを接続して形成されている。フレキシブルケーブルの先端には、基板に接続するためのコネクタ等の接続部７及び８が配置されている。また、無線通信を行うために、逆Ｌ型モノポールアンテナ９が内蔵されている。また、筐体２の内部にはカメラ１０と、ノイズを抑制するための板金１１と、これらを電気的に接続するガスケット１２とが設けられている。また、図２は、図１の携帯通信端末装置を筐体２の方から見たときの透視図である。
【０００４】
このような従来の構成における問題点として、逆Ｌ型モノポールアンテナ９のグランドプレーンとして動作する基板３及び４や、その間に配置されるノイズ抑制用の板金１１や、基板と基板を繋ぐフレキシブルケーブル６などの部品の電磁気学的な結合（容量性結合及び相互誘導性結合）により、無線通信用又はその他のアンテナ特性の劣化が引き起こされることがあった。より詳細に説明すると、λ／４モノポールアンテナのグランドプレーンは、理想的には、電磁気的に突起などない平板であることが好ましいのであるが、他の部品の突起などにより、キャパシタンス（容量性結合）及びインダクタンス（誘導性結合）となる部分が発生することによる不要共振などで電流の集中が生じ、電波として放射させたい電気のエネルギーがジュール熱などにより失われてアンテナ効率が劣化してしまうことがあった。このように、部品の突起やエッジなどは高電界の発生や誘導性リアクタンスを導く。
【０００５】
以上の問題を回避するためには、新たな構造物を配置すること、厚さ方向の距離を離すこと、又は配置位置を限定することで影響のないところに配置することなどが必要とされる。したがって、携帯電話機の端末の大きさ及び厚さが増大してしまい、その携帯性が損なわれる及びコストが増大してしまう問題があった。
【０００６】
この問題を解決するために、例えば、特許文献１〜特許文献５に記載されている発明が開示されている。
【先行技術文献】
【特許文献】
【０００７】
【特許文献１】特開２００３−２６４３５５号公報
【特許文献２】特開２００７−２０１５４３号公報
【特許文献３】特開２００８−０２２１３９号公報
【特許文献４】特開２００８−１３１５４４号公報
【特許文献５】特開２００９−２６０８６３号公報
【発明の概要】
【発明が解決しようとする課題】
【０００８】
しかしながら、上記の特許文献の発明をもってしても、使用される部品の数を増加させずにスライド式携帯通信端末装置のアンテナ特性を改善することは、まだ十分になされていない。
【０００９】
本発明は、上記課題に鑑みてなされたものであり、スライド式携帯通信端末の筐体内の部品の形状を一部変更することにより、部品点数を増やすことなく、携帯通信端末装置の無線通信用又はその他のアンテナ特性の劣化を安価に抑制する手段を提供することを目的とする。
【課題を解決するための手段】
【００１０】
本発明は、通信を可能とするためのアンテナを少なくとも備えたスライド式携帯通信端末装置において、前記アンテナのアンテナ特性を劣化させる電磁気的結合関係にある、前記スライド式携帯通信端末装置を構成する複数の電気的な導通性を有する部品を、同一平面上にあるように重ね合わせて構成することによって、前記アンテナ特性の劣化を抑制することを特徴とする。
【発明の効果】
【００１１】
第１の効果は、携帯通信端末装置のアンテナ特性に影響を与える部品の形状を一部変更することで、アンテナ特性の劣化を抑制できることである。
【００１２】
第２の効果は既存の部品の形状を一部変更しているので、携帯通信端末の大きさ・配置の大幅な変更等を発生させることなく、安価にアンテナ特性の劣化を抑制できることにある。
【図面の簡単な説明】
【００１３】
【図１】従来のスライド式携帯通信端末装置の側面側縦断面図である。
【図２】図１の携帯通信端末装置を筐体２の方から見たときの透視図である。
【図３】本発明のスライド式携帯通信端末装置の一実施形態の側面側縦断面図である。
【図４】本発明のスライド式携帯通信端末装置の他の実施形態の側面側縦断面図である。
【図５】具体的な実施例を示す図である。
【図６】具体的な実施例を示す図である。
【図７】具体的な実施例を示す図である。
【図８】具体的な実施例の特性結果を示す図である。
【発明を実施するための形態】
【００１４】
以下、本発明のスライド式携帯通信端末装置の実施形態を図を参照しながら詳細に説明する。しかし、本発明は下記の実施形態に限定されることはないことを注意する。
【００１５】
図３は、本発明のスライド式携帯通信端末装置の一実施形態の側面側縦断面を示している。基本的な構成は、前述した従来のスライド式携帯通信端末装置（図１）と同様なのであるが、本実施形態の特徴として、ノイズ抑制用の板金１１がフレキシブルケーブル６に重なるように延長している。ここで、板金１１は必ずしも物理的にフレキシブルケーブル６と接触しなくてもよい。これは、部品（ここでは板金１１）のエッジ部分を極力少なくすることを目的としている。つまり、図３に示されているように、板金１２のフレキシブルケーブル側の端部を延長することにより、板金１２の平面部とフレキシブルケーブル６とを連続的にほぼ同一の平面上に並ばせることを目的としている。このように構成することで、部品同士の結合状態（キャパシタンス及びインダクタンス）が変化し、アンテナ特性の劣化を抑制することができる。
【００１６】
まとめるならば、上記実施形態においては、部品の形状（特にエッジ部分）により発生しているキャパシタンス及びインダクタンスの値を、部品（板金１１）の形状や位置を変更することにより、不要共振の周波数の変更・電流集中の回避を行い、アンテナ効率を改善している。
【００１７】
このように形状を変更させる部品としては、電気的な導通性を有しているものであればよい。例えば、図４に示されているように、カメラ裏の板金１１とカメラ１０とを接続するガスケット１２をフレキシブルケーブル６側に重なるように延長することでも、図３に示されている構成と同様の効果を得ることができる。また、本図ではガスケット１２をフレキシブルケーブル６と板金１１の間に延長したが、フレキシブルケーブル６と基板４の間に延長する場合でも同様の効果がある。上記の電気的導通性を有する部品としては、銅や鉄などの金属を有するものや、配線として銅が使用されている基板やフレキシブルケーブルなども含まれる。
【００１８】
図３及び４は、カメラのノイズ抑制用の板金１１と基板３及び４を接続するフレキシブルケーブル６との間にある部品を延長する例であったが、これらの部品間に限定されることはない。つまり、アンテナ効率を劣化させるような電磁気的結合関係にある部品間であれば、本発明を適用することが可能である。例えば、ＳＩＭカードスロット、メモリカードスロット、ＩＯコネクタなどで、アンテナ特性（アンテナ効率）に影響している部品、すなわち、電磁気学的にキャパシタンス及びインダクタンスを発生させる形状をしておりアンテナとして影響する場所に配置されている（インピーダンス的にアンテナから見える）、使用する周波数に影響を与える部品の形状を変更することで、アンテナ特性の劣化を抑制できる効果が期待できる。
【実施例】
【００１９】
これより、本発明の実施例について図面を参照しながら説明する。しかし、本発明は以下の例に限定されることはないことを注意する。
【００２０】
図５は、図３のフレキシブルケーブル６の具体的な形状を示した展開図である。参照番号６１はフレキシブルケーブル５に接続する部分、参照番号６２は基板４に接続するコネクタ部分を示す。また、参照番号６３，６４，６５は折り返し部分を示している。図６は、図５のフレキシブルケーブル６を折り畳んだ場合の例を示している。図７は、フレキシブルケーブル６、アンテナ９、ノイズ抑制用のカメラ裏板金１１、及びカメラ裏板金とカメラとを電気的に接続するガスケット１２が筐体２内に配置された形態を示す。
【００２１】
本実施例では、ガスケット１２をフレキシブルケーブル６側に延長してフレキシブルケーブル６と重ね合わせることで（図７の１２Ａ）、アンテナ特性の劣化を抑制している。
【００２２】
図８は、アンテナ効率をガスケット延長前と延長後で比較したものである。図中の効率比とは、ガスケット１２延長前のアンテナ効率を効率Ａ、ガスケット１２延長後のアンテナ効率を効率Ｂとした場合の比（＝効率Ｂ／効率Ａ）である。よって、縦軸がそのままアンテナ効率の改善量となっている。また、携帯通信端末で使用する周波数は単一ではなく周波数帯であるので、その帯での特性を示す方法の一つとして、その上限と下限を示している。この８８０ＭＨｚと９６０ＭＨｚとはＥ−ＧＳＭ９００の送信帯下端と受信帯の上端であり、使用する周波数はこの間に限定される。このグラフより、周波数帯の上限及び下限の両方において、アンテナ効率が４．０ｄＢ以上改善していることが確認できる。
【００２３】
上記の実施形態の一部又は全部は、以下の付記のようにも記載されうるが、以下には限られない。
【００２４】
（付記１）通信を可能とするためのアンテナを少なくとも備えたスライド式携帯通信端末装置において、前記アンテナのアンテナ特性を劣化させる電磁気的結合関係にある、前記スライド式携帯通信端末装置を構成する複数の電気的な導通性を有する部品を、同一平面上にあるように重ね合わせて構成することによって、前記アンテナ特性の劣化を抑制することを特徴とするスライド式携帯通信端末装置。
【００２５】
（付記２）前記複数の電気的な導通性を有する部材の端部を変形させることで互いに重ね合わせることを特徴とする付記１に記載のスライド式携帯通信端末装置。
【００２６】
（付記３）前記複数の電気的な導通性を有する部品とは、ノイズ抑制用板金、フレキシブルケーブル、ガスケット、ＳＩＭカードスロット、メモリカードスロット及びＩＯコネクタのうちの２つ以上であることを特徴とする付記２に記載のスライド式携帯通信端末装置。
【００２７】
（付記４）前記複数の電気的な導通性を有する部品とは、前記ノイズ抑制用板金と、前記フレキシブルケーブルとであり、前記ノイズ抑制用板金の端部を延長して前記フレキシブルケーブルと重ね合わせたことを特徴とする付記３に記載のスライド式携帯通信端末装置。
【００２８】
（付記５）前記複数の電気的な導通性を有する部品とは、前記ガスケットと、前記フレキシブルケーブルとであり、前記ガスケットの端部を延長して前記フレキシブルケーブルと重ね合わせたことを特徴とする付記３に記載のスライド式携帯通信端末装置。
【符号の説明】
【００２９】
１  筐体
２  筐体
３  回路基板
４  回路基板
５  フレキシブルケーブル
６  フレキシブルケーブル
７  接続部
８  接続部
９  逆Ｌ型モノポールアンテナ
１０  カメラ
１１  板金
１２  ガスケット
６１  フレキシブルケーブル５に接続する部分
６２  基板４に接続するコネクタ部分
６３  折り返し部分
６４  折り返し部分
６５  折り返し部分
【図１】
2011171907.tif 000003
【図２】
2011171907.tif 000004
【図３】
2011171907.tif 000005
【図４】
2011171907.tif 000006
【図５】
2011171907.tif 000007
【図６】
2011171907.tif 000008
【図７】
2011171907.tif 000009
【図８】
2011171907.tif 000010